(57)【要約】【課題】非使用時に、ボールがチップ先端部の内壁面に密接するボールペンチップにおいて、ボールの略中心に、押圧力を付与することができるボールペンチップを提供することである。【解決手段】本発明は、チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持し、前記ボールをコイルスプリングの棒軸部により前方に押圧し、前記ボールをチップ先端部の内壁に密接する弁機構を具備してなるボールペンチップにおいて、前記インキ流通孔が、第一インキ流通孔と、前記第一インキ流通孔よりも内径が小さい第二インキ流通孔とを連接してあり、前記第一インキ流通孔と第二インキ流通孔の連接部に、前記第一インキ流通孔内に延びる案内部を設けたことを特徴とする。【選択図】        図１
2010069779.tif 000002
【特許請求の範囲】
【請求項１】
チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持し、前記ボールをコイルスプリングの棒軸部により前方に押圧し、前記ボールをチップ先端部の内壁に密接する弁機構を具備してなるボールペンチップにおいて、前記インキ流通孔が、第一インキ流通孔と、前記第一インキ流通孔よりも内径が小さい第二インキ流通孔とを連接してあり、前記第一インキ流通孔と第二インキ流通孔の連接部に、前記第一インキ流通孔内に延びる案内部を設けたことを特徴とするボールペンチップ。
【請求項２】
前記案内部が、周方向に間隙を有することを特徴とする請求項１に記載のボールペンチップ。
【発明の詳細な説明】
【技術分野】
【０００１】
本発明は、チップ本体内に、ボール抱持室の底壁の中央に形成したインキ流通孔と、該インキ流通孔から放射状に延びるインキ流通溝とを有し、前記底壁にボールを挿置し、チップ先端部を内側にかしめることにより、ボールの一部をチップ先端縁より突出させて回転自在に抱持し、前記ボールをコイルスプリングの棒軸部により前方に押圧し、前記ボールをチップ先端部の内壁に密接する弁機構を具備してなるボールペンチップに関する。
【背景技術】
【０００２】
ボールの後端に、コイルスプリングを配設し、このコイルスプリングの弾発力によって、ボールをチップ先端部の内壁面に密接させるとともに、筆記時の筆圧によってボールとチップ先端部の内壁とに隙間を形成する弁機構を具備したボールペンチップはよく知られて、特開２０００−１５８８６９号公報「ボールペンチップ」には、コイルスプリングの棒軸部が移動しても、棒軸部が、インキ流通溝を閉鎖しない構造が開示されている。
【０００３】
また、特開２０００−１０８５７４号公報「ボールペンチップ」には、径の異なる先端部と後端部とを有するインキ流通孔を形成することで、コイルスプリングの棒軸部が移動を規制し、ボールに棒軸部を当接しやすくする構造が開示されている。
【特許文献１】「特開２０００−１５８８６９号公報」
【特許文献２】「特開２０００−１０８５７４号公報」
【発明の開示】
【発明が解決しようとする課題】
【０００４】
しかし、特許文献１では、コイルスプリングの線径は、φ０．１ｍｍ〜φ０．３ｍｍと極めて小径であり、この棒軸部に複数の通溝を形成することは非常に困難である。また、中心孔の後端部に、棒軸部の外径よりも小さい通溝を形成することは、製造工程の増加となり、製造コストが高騰する問題があった。
【０００５】
また、特許文献２では、先端部の径の大きいインキ流通孔に、棒軸部が曲がって挿入されると、ボールの略中心に、押圧力を付与することができないという問題があった。
【０００６】
本発明は上記問題を鑑み、非使用時に、ボールがチップ先端部の内壁面に密接するボールペンチップにおいて、ボールの略中心に、押圧力を付与することができるボールペンチップを提供するものである。
【課題を解決するための手段】
【０００７】
前記目的を達成するために本発明では、チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持し、前記ボールをコイルスプリングの棒軸部により前方に押圧し、前記ボールをチップ先端部の内壁に密接する弁機構を具備してなるボールペンチップにおいて、前記インキ流通孔が、第一インキ流通孔と、前記第一インキ流通孔よりも内径が小さい第二インキ流通孔とを連接してあり、前記第一インキ流通孔と第二インキ流通孔の連接部に、前記第一インキ流通孔内に延びる案内部を設けたことを特徴とする。
【０００８】
また、前記案内部が、周方向に間隙を有することを特徴とする。
【発明の効果】
【０００９】
本発明は、非使用時に、ボールがチップ先端部の内壁面に密接するボールペンチップにおいて、ボールの略中心に、押圧力を付与することができるボールペンチップを提供することができた。
【発明を実施するための最良の形態】
【００１０】
実施例１
以下、図面を参照して本発明の実施例を説明するが、本発明のボールペンチップは実施例に限定されるものではない。尚、図面中、同じ部材、同じ部品については同じ番号を付してある。
【００１１】
図１、図２に示すボールペンチップ１は、チップ本体２にインキ流通孔４、５と、放射状に延びたインキ流通溝８を有し、ボール抱持室３の底壁６に設けた筆記用ボールと略同形のボール座７に、ボール１０を載置し、チップ先端部２ａを内側にかしめことにより、ボール１０の一部がチップ先端部２ａより突出するように回転自在に抱持している。
【００１２】
インキ流通孔は、第一インキ流通孔４と、その後方に、第一インキ流通孔４の内径よりも小さい内径の第二インキ流通孔５を連接して形成してあり、第一インキ流通孔４と第二インキ流通孔５の連接部に、インキ流通孔４内に延びる案内部５ａを形成してある。
【００１３】
また、ボール１０の後方には、棒軸部１１を有するコイルスプリングを配設し、非使用時には、コイルスプリングの押圧力によって、ボール１０をチップ先端部２ａの内壁面に密接しているとともに、筆記時の筆圧によってボール１０とチップ先端部２ａの内壁とに隙間を形成して、インキを紙面等に流出する弁機構となっている。
【００１４】
コイルスプリングの棒軸部１１は、挿入時に、第二インキ流通孔５によって、ボールペンチップ１の軸心Ｊ方向に移動規制される。また、第二インキ流通孔５の案内部５ａによって、ボール１０に近い部分まで、コイルスプリングの棒軸部１１がガイドされ、第二インキ流通孔５からインキ流通孔４に曲がって挿入され難く、ボール１０の略中心に、押圧力を付与することができる。
【００１５】
インキ収容筒（図示せず）からボール１０までのボールペン用インキの流れは、先ず、インキ収容筒から後部孔９、第二インキ流通孔５、案内部５ａ、インキ流通孔４を順次通過して、ボール１０に達している。
【００１６】
本発明では、第一インキ流通孔内に延びる案内部５ａを設けているので、案内部５ａとインキ流通孔４とで、環状空間部Ｋが形成されるので、インキ流通孔４の体積の減少を小さくできるので、インキ流通孔４に溜まるインキ量を確保でき、ボール１０へのインキを供給しやくしてある。
【００１７】
尚、案内部５ａの形成方法は特に限定されるものではないが、後部孔９から第二インキ流通孔４に向かって、押圧具等によって溝５ｂを形成し、溝５ｂを形成することによって得た肉片によって形成することができる。
【００１８】
また、案内部は、適宜間隙５ｂを設けることで、第二インキ流通孔５から第一インキ流通孔４に、インキが流れやすくすることができるので好ましいが、周状に連続的に形成してあってもよい。
【産業上の利用可能性】
【００１９】
本発明のボールペンチップは、水性、油性、剪断減粘性を付与したインキ等、インキの種類に限定されることなく、ボールペンとして広く利用できるものである。
【図面の簡単な説明】
【００２０】
【図１】実施例１におけるボールペンチップの一部省略した縦断面図である。
【図２】図１におけるＡ−Ａ断面図である。
【符号の説明】
【００２１】
１  ボールペンチップ
２  チップ本体
３  ボール抱持室
４  インキ流通孔
５  第二インキ流通孔
５ａ  案内部
５ｂ  間隙
６  底壁
７  ボール座
８  インキ流通溝
９  後部孔
１０  ボール
１１  棒軸部
【図１】
2010069779.tif 000003
【図２】
2010069779.tif 000004